(57)【要約】    【課題】  大容量性と優れた耐使用環境性を併せ持ったディジタルデータ記憶・再生システムの提供。    【解決手段】  ディジタルデータ再生機能、メモリ機能、およびインターネット接続機能を有する携帯型ディジタルデータ記憶・再生端末(以後端末という)と、インターネットに接続し使用者個人用ディジタルデータ群を記憶・保存するサーバからシステムを構成し、  再生準備として端末をサーバに接続し、再生予定のデジタルデータ項目および再生順位高位のディジタルデータ項目に対応するディジタルデータをサーバから端末に取り込んで記憶し、  再生に際しては、端末とサーバ間のインターネット接続の成否にかかわらず端末に記憶されているディジタルデータの再生および再生済みディジタルデータの消去を順次に行うとともに、端末とサーバ間のインターネット接続が正常の間サーバから端末に再生予定のディジタルデータの補充を再生予定順位に従って順次に行う。    【選択図】図２
2007114440.tif 000002
【特許請求の範囲】
【請求項１】
ディジタルデータ再生機能、メモリ機能、およびインターネット接続機能を有するディジタルデータ記憶・再生端末と、インターネットに接続し使用者個人用ディジタルデータ群を記憶するサーバから構成され、
ディジタルデータ再生に際しては、ディジタルデータ記憶・再生端末とサーバ間のインターネット接続の成否にかかわらずディジタルデータ記憶・再生端末のメモリ機能に記憶されているディジタルデータの再生および再生済みディジタルデータの消去を順次に行うとともに、ディジタルデータ記憶・再生端末とサーバ間のインターネット接続が正常に保たれている間サーバからディジタルデータ記憶・再生端末のメモリ機能に再生予定のディジタルデータの補充を再生予定順位に従って順次に行うことを特徴とするディジタルデータ記憶・再生システム。
【請求項２】
請求項１において、
ディジタルデータ記憶・再生端末のメモリ機能には、使用者がサーバ中から選択した再生予定のディジタルデータ項目とその再生順序、および前記再生予定のディジタルデータ項目中、メモリ機能の記憶容量が許容する範囲の、再生順位高位のディジタルデータ項目に対応するディジタルデータ、
を再生に先立って記憶することを特徴とするディジタルデータ記憶・再生システム。
【請求項３】
請求項１において、
サーバには使用者がサーバ中から選択した再生予定のディジタルデータ項目およびその再生順序を、
またディジタルデータ記憶・再生端末のメモリ機能には、前記サーバに記憶した再生予定のディジタルデータ項目中、メモリ機能の記憶容量が許容する範囲の、再生順位高位のディジタルデータ項目に対応するディジタルデータを、
再生開始に先立って記憶することを特徴とするディジタルデータ記憶・再生システム。
【請求項４】
請求項１〜請求項３にあって、
サーバは、使用者が事前にインターネット上のディジタルデータ提供サイトからあるいは自己のパーソナルコンピュータにおいてＣＤ・ＤＶＤ等自己の所有するディジタルデータ媒体から取得したディジタルデータを使用者個人用として記憶・管理・提供することを特徴とするディジタルデータ記憶・再生システム。
【請求項５】
請求項１〜請求項３にあって、ディジタルデータ記憶・再生端末は高速データ通信可能な携帯電話機主体で構成されることを特徴とするディジタルデータ記憶・再生システム。
【請求項６】
請求項４にあって、サーバを使用者個人用としてディジタルデータ記憶・再生システム用に提供するサービス事業
【請求項７】
請求項１〜請求項６にあって、ディジタルデータ記憶・再生端末と個人用サーバをシステムとして一体化して販売・提供することを特徴とするディジタルデータ記憶・再生システム事業。
【発明の詳細な説明】
【技術分野】
【０００１】
本発明は、移動中においても自己の所有するあるいは希望する音声データ・動画像データ等を自由に選択して視聴することができる携帯型ディジタルデータ記憶・再生システムおよびそれを可能にするサーバ提供サービス事業に関する。
【背景技術】
【０００２】
従来の携帯型ディジタルオーディオプレーヤのごときディジタル音声データの記憶・再生装置においては、装置内の記憶装置に音声データを記憶・保存しそれを再生する方法が一般的である。
ここで音声データ記憶用に使用する記憶装置としてはＨＤＤあるいは半導体メモリが主体である。ＨＤＤを用いた場合は大容量化が可能で大量のディジタルデータの記憶が可能であるが、記憶装置がメカニズムで構成されているため比較的振動・衝撃等に弱く寿命も短い等の欠点がある。一方半導体メモリの場合は可動部がないため堅牢で振動・衝撃等には強く寿命も長い長所はあるが大容量化は高価格化に繋がるという問題点がある。
【０００３】
また、最近においては音楽データ提供用ＷＥＢサイトから音楽を端末にダウンロードしながら聴く、あるいは一時的に半導体メモリに記憶しておいて後刻それを聴くという方法も実現化されている（特許文献１）。しかしこの場合はその都度音楽を選択しなければならないという煩雑さがあり現在大量に普及しているメモリーオーディオプレーヤにその使用の簡便さにおいて劣っている。
【特許文献１】特表２００３−５１１７３１
【発明の開示】
【発明が解決しようとする課題】
【０００４】
本発明は、今後携帯電話の通信速度が高速化する事を想定して上記従来の携帯型ディジタルオーディオプレーヤの問題点を解決する、即ちＨＤＤを用いる場合の寿命・耐使用環境性の問題、半導体メモリを用いる場合の容量・価格の問題、音楽データ提供用ＷＥＢサイトからダウンロードする場合の聴取中の接続遮断あるいは操作の煩雑さ等の問題、を解決するシステム、携帯端末、およびその実現のためのサーバ提供サービス事業を提供しようとするものである。
【課題を解決するための手段】
【０００５】
本発明の基本的考え方を音声データ記憶・再生システムを例に説明する。
ここで言う音声データとは音楽、朗読された小説、音声による旅行案内、音声による語学学習教材等の音声ディジタルデータを言う。
しかし前述のとおり本発明の基本的考え方は音声データ記憶・再生システムだけでなく動画像データの記憶・再生システムにも適用可能である。
【０００６】
システムを、インターネット接続可能な音声データ記憶・再生端末（以後端末という）、インターネット、およびインターネットに接続した音声データ記憶・保存用の使用者個人用サーバ（以後個人用サーバという）で構成する。
【０００７】
使用者は予め再生予定の音声データ項目（楽曲名等）を個人用サーバ中からその再生予定順に選択しそれを端末内あるいはサーバ内に記憶する。あわせて前記再生予定の音声データ項目のうち一部再生順位高位の音声データ項目に対応する音声データをメモリ容量の許す範囲で再生順位順に端末内メモリに記憶し再生する。
再生が終了した音声データは端末から消去し、前記消去によって出来た端末内メモリ空き領域には再生予定の音声データ項目順位に従って次に記憶すべき音声データ項目に対応する音声データを記憶する。
【０００８】
また個人用サーバには使用者がインターネット上の音楽データ提供業者用サーバ等から取得した、あるいは使用者が自己のパーソナルコンピュータに自己の所有する音声データ媒体から取り込んだ音声データを記憶・保存する。
このように構成・動作させることにより端末はあたかも個人用サーバが記憶している音声データすべてを記憶しているように使用者には見えることになる。
【０００９】
ここで端末のインターネット接続が常に保たれており且つ個人用サーバから端末への音声データダウンロード速度が端末における再生速度を大幅に上回っていれば、端末内メモリ容量は極わずかあるいは原理的には無しでも済むことになる。しかしインターネット接続はしばしば断たれることから、この接続断の間にも端末における音声データの再生が続行できるだけの音声データの蓄積即ち端末内メモリ容量が必要となるとともに、インターネット接続が復活した際には速やかに前記音声データ再生終了によって生じた端末内メモリの空き領域への個人用サーバからの音声データの補充が必要になる。
【００１０】
本発明は上記考え方に基づくものである。以下に具体的にシステムの構成・動作について説明する。
音声データ記憶・再生システムを図１の如く構成する。
使用者はインターネット１０１上に音声データ記憶・保存用の個人用サーバ１０３を設け、そこに使用者が音楽データ提供者用サーバ１０２から取得した、あるいはパーソナルコンピュータ１０４でＣＤ・ＤＶＤ等の自己所有の音声媒体から取得した、ディジタル音声データを記憶・保存する。
【００１１】
音声データ記憶・再生用端末１０５を図２に示す如く構成する。
端末１０５は通信基地局１０６経由でインターネット１０１に接続可能とする。
【００１２】
端末１０５においては、使用者が操作・制御部２０１を操作することによって個人用サーバ１０３に接続してそこに記憶されている音声データ項目を通信部２０２経由表示装置２０３に表示し、そこから再生したい音声データ項目ＴＭ1、ＴＭ2、ＴＭ3、・・・ＴＭn を再生の順位に選択しメモリ部２０６中の音声データ項目メモリ２０４に記憶する。
その後端末１０５は前記音声データ項目メモリ２０４に記憶された音声データ項目中の一部再生順位の早い音声データ Ｍ1、Ｍ2、Ｍ3、・・・Ｍp (ただしp ＜ n ) を順次ダウンロードし音声データメモリ２０５に記憶する。
【００１３】
上記事前準備の後、操作・制御部２０１において再生が指示されると再生部２０７においては音声データメモリ２０５中から再生順位第１位の音声データ Ｍ1 を読み出してデータ圧縮されている音声データのデータ伸張動作等を含む再生動作を開始する。再生が終了するとその音声データ Ｍ1 は消去され、次に再生されるべき音声データ Ｍ2 が音声データメモリから再生部２０７に読み込まれ再生が連続されるとともに、音声データ Ｍ1 消去によって音声データメモリ２０５に生じた空き領域に対して次にダウンロードすべき音声データ項目 ＴＭ(p+1) に対応する音声データ Ｍ(p+1) がサーバ１０３から自動的にダウンロードされて記憶される。
但し、音声データ容量が Ｍ1 ＜ Ｍ(p+1) の場合には新たなメモリ空き領域の出現を待って、例えば Ｍ1＋Ｍ2 ＞Ｍ(p+1) となるのを待って、音声データ Ｍ(p+1) のダウンロード・記憶がなされる。
【００１４】
以上のように端末１０５のメモリ部２０６は再生予定の音声データ項目メモリ２０４および連続再生に必要な最低限の容量を有する音声データメモリ２０５によって見かけ上サーバ１０３に記憶されている音声データすべてが端末１０５上に記憶されているように使用者にはみえることになり、前記本発明に対して期待された事項はすべて達成されることになる。
【００１５】
ここで、端末１０５が常時サーバ１０３に接続できている状態であれば音声データメモリ２０５容量は再生予定音声データ項目中最大容量の音声データ１項目分を記憶するに足るだけあれば充分ということになるが、接続が遮断することも考慮し想定される最大接続遮断時間と音声データダウンロードの速度から音声データメモリ２０５容量値は決定される。
【００１６】
しかし本システムにおいては音声データダウンロード時間はその再生時間に比べて無視できるほどに短いと想定していることから、音声データメモリ２０５容量はインターネット接続が途絶えると想定される最大時間連続再生ができる音声データを記憶できる容量を有すればよいことになる。
この場合音声データメモリ２０５容量は、音声データのデータ圧縮率で異なってくるが、最大でも従来の半導体メモリを用いたディジタルオーディオプレーヤ等に比べては小容量となる。
【００１７】
上記においては使用者が再生を予定する音声データ項目を端末１０５のメモリ部２０６内に音声データ項目メモリ２０４を設けて記憶するとしたが、これに代えてサーバ１０３内にそれを記憶することでも本発明による音声データ記憶・再生システムの構成は可能である。この場合においては端末１０５中にデータ項目メモリ２０４は不要となるが音声データ記憶・再生端末１０５とサーバ１０３間の接続が途絶えている間には端末１０５の表示部２０３に再生予定の音声データ項目の表示は出来なくなる。
【００１８】
また上記においては端末１０５の接続するサーバは、使用者個人用サーバ１０３としたが、それに代えて音楽データ提供業者のサーバ内に使用者個人が取得した個人用音声データ項目リストを設け、使用者はそこにアクセスして希望する音声データ項目を選択し、選択された音声データ項目に対応する音声データを音楽データ提供業者の所有する音声データ中から抽出してダウンロードする方法も考えられる。
【００１９】
また図１において個人用パーソナルコンピュータ１０４と個人用サーバ１０３を別に設定しているが、個人用パーソナルコンピュータを個人用サーバ化することも当然可能である。
【００２０】
また上記においては、記憶・再生するデータは音声データとしたが、本発明の基本的考え方を用いて動画像データとすることも可能である。
【発明の効果】
【００２１】
以上述べた如く、本発明による音声データ記憶・再生システムによって従来のディジタルオーディオプレーヤの問題点がすべて解決される。
ただし、端末にはインターネット接続のための通信機能が必要になる。しかしこれは高速通信可能な携帯電話機を本端末用の母体として使用する即ち携帯電話兼ディジタルデータ記憶・再生端末とすることにより問題はなくなる。
【発明を実施するための最良の形態】
【００２２】
端末には高速通信可能な携帯電話機を用いることが最良の実施形態である。
さらに音声データを蓄積・保存し使用者にそれを提供するサーバに関しては、使用者個人個人が個別にサーバを設けるのではなく大容量データ用サーバ提供業者あるいは従来の音楽データ提供業者等が使用者個人向けに、一般使用者にも簡単に利用できる形態で、サーバを提供してくれることが望ましい。
【実施例１】
【００２３】
図１に本発明による音声データ記憶・再生システムの構成例を、図２に図１中の音声データ記憶・再生端末の構成例を、図３に図２の音声データ記憶・再生端末における個人用サーバとの接続確認、再生予定音声データ項目の表示・選択、および再生予定音声データの取り込み処理手順例を、また図４に図２における音声データ記憶・再生端末における再生動作の処理手順例を、それぞれ示す。
【００２４】
図１において、
１０１はインターネット、
１０２は、使用者の要求に応じて音楽データの有料供給を行う音楽データ提供者用サーバ、
１０３は、前記音楽データ提供者用サーバ１０２から、あるいは後述の使用者の有するパーソナルコンピュータ１０４から音声データをインターネット経由で取り込んで記憶・保存する使用者個人用サーバ、
【００２５】
１０４は、使用者の保有するＣＤあるいはＤＶＤ等の音声データ媒体から音声データを取り込んで、インターネット経由前記使用者個人用サーバ１０３にデータを供給する使用者用パーソナルコンピュータ、
１０５は、使用者の有する音声データ記憶・再生用端末
１０６は、音声データ記憶・再生用端末１０５をインターネット１０１に接続する通信基地局、である。
【００２６】
図２において、
２０１は、使用者の操作により個人用サーバ１０３への接続、音声データ項目の表示・選択、再生指示等を行う操作・制御部
２０２は、本音声データ記憶・再生端末を後述の通信基地局２０５経由インターネット１０１に接続する通信部
【００２７】
２０３は、個人用サーバ１０３に記憶・保存されている音声データ項目の表示、あるいは音声データ記憶・再生端末１０５内に記憶されている再生予定音声データ項目等の表示を行い、再生したい音声データ項目の選択あるいは音声データ記憶・再生端末中も音声データ項目メモリ２０４記憶内容あるいは音声データメモリ２０５に記憶されている音声データ項目等を確認するための表示部
【００２８】
２０４は、個人用サーバ１０３中から使用者が選択した音声データ項目ＴＭ1、ＴＭ2、・・、ＴＭp、・・、ＴＭn を記憶する音声データ項目メモリ
２０５は、音声データ項目メモリ２０４中に記憶されている音声データ項目中の本メモリ容量が許容する再生順位が第１位から第Ｐ位の音声データ項目  ＴＭ1、ＴＭ2、・・、ＴＭp  の音声データ Ｍ1、Ｍ2、・・、Ｍp を記憶する音声データメモリ
【００２９】
２０６は、前記音声データ項目メモリ２０４および音声データメモリ２０５で構成されるメモリ部
２０７は、音声データメモリ２０５中から最初に再生すべき音声データ（本例の場合はＭ1）を取り込んでデータ圧縮された音声データのデータ伸張等を含む再生動作を行う再生部、である。
【００３０】
次に図１における音声データ記憶・再生端末１０５における使用者個人用サーバ１０３とのインターネットを介しての各種処理手順例を図３にしめす。
３０１は、音声データ記憶・再生端末１０５における使用者個人用ＷＥＢサーバ１０３との各種処理手順開始点
３０２は、音声データ記憶・再生端末１０５と使用者個人用サーバ１０３との接続確認処理であり、本処理においては単に通信接続の確認だけでなく音声データの送受のため使用者のＩＤ、パスワード等セキュリティ事項の確認も行う。
【００３１】
３０３は、３０２で接続が確認された後音声データ記憶・再生端末１０５に使用者が再生を予定している音声データ項目が選択・記憶されているか否かの確認を行う再生予定音声データ項目記憶確認処理、
３０４は、３０３において再生を予定している音声データ項目が選択されていないと判定した場合、個人用サーバ１０３に記憶されている音声データ項目中から再生予定の音声データ項目の選択開始を行う再生予定音声データ項目選択開始処理、
３０５は、３０４によって開始された再生予定音声データ項目選択処理が終了したか否かを確認する再生予定音声データ選択終了確認処理、
【００３２】
３０６は、音声データ用メモリ２０５に未だ新たな音声データを取り込む余地があるか否かのメモリ空き領域の確認を行う音声データメモリ空き領域確認処理、
３０７は、３０６において音声データメモリ２０５に新たな音声データを取り込む空き領域があると確認した場合は、次に取り込む予定の音声データ項目に対応する音声データのサーバ１０３からの取り込みを開始する音声データ取り込み開始処理、
【００３３】
３０８は、３０７においておいて開始された個人用サーバ１０３からの音声データ取り込みが終了したか否かの確認を行う音声データ取り込み終了確認処理、
３０９は、個人用サーバ１０３から新たに取り込んだ音声データを音声データメモリ２０５の所定の場所に記憶する音声データ記憶処理、
３１０は、使用者により操作・制御部２０１に対して再生予定の音声データ項目変更の操作があったか否かを確認する音声データ項目変更指示確認処理、
であり、変更操作がない場合は音声データ項目メモリ内容は不変で処理３０６に戻る。変更操作があった場合は、処理３０４に戻って再生予定の音声データ項目の変更処理を行う。
【００３４】
次に、図１における音声データ記憶・再生端末１０５における音声データ再生処理手順を図４に示す。
４０１は、音声データ記憶・再生端末１０５における再生処理手順開始点、
４０２は、音声データメモリ２０５中に再生すべき音声データが残っているか否かの確認を行う再生音声データ有無確認処理、
【００３５】
４０３は、４０２で音声データメモリ２０５中に再生すべき音声データが残っていると判定した場合はそれを再生部２０６に移して再生開始する再生開始処理、
４０４は、４０３で開始された再生処理が終わったか否かを監視する再生終了監視処理、
４０５は、再生終了した音声データ項目に対応する音声データを音声データメモリ２０５中から消去する再生終了音声データ消去処理、である。
【００３６】
以上の如く本発明による音声データ記憶・再生システムにおいては、あたかも使用者個人用サーバ１０３に記憶・保存されているすべての音声データを音声データ記憶・再生端末１０５中に記憶しているように端末１０５における音声データの選択・再生が可能になる。
【実施例２】
【００３７】
実施例１においては、再生予定の音声データ項目は音声データ項目メモリ２０４に記憶されたが、これに代えて個人用サーバ１０３に記憶しておく方法もある。この場合端末１０５の音声データ項目メモリ２０４は不要になるが端末１０５−個人用サーバ１０３間の接続が遮断されている間には再生予定の音声データ項目のうち音声データメモリ２０５中に記憶されている音声データの項目以外は端末１０５において表示不可能になる。
【実施例３】
【００３８】
実施例１においては、個人用サーバは使用者個人用で且つ使用者用パーソナルコンピュータ１０４とは別としたが、使用者用パーソナルコンピュータ１０４を個人用サーバ兼用とする方法もある。
【実施例４】
【００３９】
実施例１においては、使用者個人用サーバ１０３は音楽データ提供者用サーバ１０２と別としたが、音楽データ提供者用サーバ１０２中に使用者個人用音声データ項目リストを設け使用者個人用サーバを兼用させる方法もある。
但しこの場合使用者用パーソナルコンピュータ１０４で使用者が所有するＣＤ、ＤＶＤ等から取得した音声データ項目あるいは他の音楽データ提供業者から取得した音声データ項目を前記音楽データ提供者用サーバ１０２中に設けた使用者個人用音声データ項目リストに加えることが困難となる。
【実施例５】
【００４０】
実施例１〜実施例４においては、記憶・再生の対象データを音声データとしたが、画像データに適用することも可能である。この場合は端末１０５中の表示部２０３は画像再生用にふさわしい表示機能を持たせなければならないことは言うまでもない。
【実施例６】
【００４１】
上記各実施例における個人用サーバあるいはその代替サーバを使用者個人に提供するサービス事業の存在が本システムの広範な普及には不可欠である。さらにディジタルデータ記憶・再生端末と個人用サーバあるいはその代替サーバをディジタルデータ記憶・再生システムとして一体化して販売・提供する事業も有効である。
【図面の簡単な説明】
【００４２】
【図１】本発明による音声データ記憶・再生システム構成例
【図２】本発明による音声データ記憶・再生端末構成例
【図３】本発明による音声データ記憶・再生端末による個人用サーバとの各種処理手順例
【図４】本発明による音声データ記憶・再生端末による再生処理手順例
【符号の説明】
【００４３】
図１、図２において、
１０１：インターネット
１０２：音楽データ提供者用サーバ
１０３：使用者個人用サーバ
１０４：使用者用パーソナルコンピュータ
１０５：音声データ記憶・再生端末
１０６：通信基地局
【００４４】
図２において、
２０１：操作・制御部
２０２：通信部
２０３：表示部
２０４：音声データ項目メモリ
２０５：音声データメモリ
２０６：メモリ部
２０７：再生部
ＴＭ1、ＴＭ2、・・、ＴＭp、・・、ＴＭn：音声データ項目
Ｍ1、Ｍ2、・・、Ｍp：音声データ
【００４５】
図３において、
３０１：各種処理手順開始点
３０２：接続確認処理
３０３：再生予定音声データ項目記憶確認処理
３０４：再生予定音声データ項目選択開始処理
３０５：再生予定音声データ選択終了確認処理
３０６：音声データメモリ空き領域確認処理
３０７：音声データ取り込み開始処理
３０８：音声データ取り込み終了確認処理
３０９：音声データ記憶処理
３１０：音声データ項目変更指示確認処理
【００４６】
図４において、
４０１：再生処理手順開始点
４０２：再生音声データ有無確認処理
４０３：再生開始処理
４０４：再生終了監視処理
４０５：再生終了音声データ消去処理
である。
【図１】
2007114440.tif 000003
【図２】
2007114440.tif 000004
【図３】
2007114440.tif 000005
【図４】
2007114440.tif 000006
【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
ディジタルデータ再生機能、メモリ機能、およびインターネット接続機能を有する携帯型ディジタルデータ記憶・再生端末と、インターネットに接続され使用者個人用ディジタルデータ群を記憶するサーバから構成され、
再生開始に先立ってディジタルデータ記憶・再生端末とサーバをインターネット接続してサーバに記憶されている使用者個人用ディジタルデータ群中から使用者が再生したいディジタルデータ項目を選択してその再生順位とともにメモリ機能中の特定領域に記憶させ、あわせて前記メモリ機能中の特定領域に記憶されたディジタルデータ項目中再生順位高位のディジタルデータ項目に対応するディジタルデータをメモリ機能の記憶容量が許容する範囲で再生順位に従ってディジタルデータ記憶・再生端末メモリ機能に記憶させること、
ディジタルデータ再生に際しては、ディジタルデータ記憶・再生端末とサーバ間のインターネット接続の成否にかかわらずディジタルデータ記憶・再生端末のメモリ機能に記憶されているディジタルデータの再生および再生済みディジタルデータの消去を順次に行うとともに、ディジタルデータ記憶・再生端末とサーバ間のインターネット接続が正常に保たれている間サーバからディジタルデータ記憶・再生端末のメモリ機能の特定領域に記憶されている再生予定のディジタルデータ項目中のディジタルデータを再生予定順位に従って順次ディジタルデータ記憶・再生端末中のメモリ機能に補充・記憶させること、
を特徴とするディジタルデータ記憶・再生システム。
【請求項２】
ディジタルデータ再生機能、メモリ機能、およびインターネット接続機能を有する携帯型ディジタルデータ記憶・再生端末と、インターネットに接続され使用者個人用ディジタルデータ群を記憶するサーバから構成され、
再生開始に先立ってディジタルデータ記憶・再生端末とサーバをインターネット接続してサーバに記憶されている使用者個人用ディジタルデータ群中から使用者が再生したいディジタルデータ項目を選択してその再生順位とともにサーバ中の特定領域に記憶させ、あわせて前記サーバ中の特定領域に記憶されたディジタルデータ項目中再生順位高位のディジタルデータ項目に対応するディジタルデータをメモリ機能の記憶容量が許容する範囲で再生順位に従ってディジタルデータ記憶・再生端末メモリ機能に記憶させること、
ディジタルデータ再生に際しては、ディジタルデータ記憶・再生端末とサーバ間のインターネット接続の成否にかかわらずディジタルデータ記憶・再生端末のメモリ機能に記憶されているディジタルデータの再生および再生済みディジタルデータの消去を順次に行うとともに、ディジタルデータ記憶・再生端末とサーバ間のインターネット接続が正常に保たれている間サーバからサーバの特定領域に記憶されている再生予定のディジタルデータ項目中のディジタルデータを再生予定順位に従って順次ディジタルデータ記憶・再生端末中のメモリ機能に補充・記憶させること、
を特徴とするディジタルデータ記憶・再生システム。
【請求項３】
請求項１、請求項２にあって、携帯型ディジタルデータ記憶・再生端末は高速データ通信可能な携帯電話機主体で構成されることを特徴とするディジタルデータ記憶・再生システム。
【請求項４】
請求項１、請求項２にあって、使用者が事前にインターネット上のディジタルデータ提供サイトから、あるいは自己のパーソナルコンピュータにおいてＣＤ・ＤＶＤ等自己の所有するディジタルデータ媒体から、取得したディジタルデータを使用者個人用として記憶・管理するサーバを、ディジタルデータ記憶・再生システム用に提供することを特徴とするインターネットサービス事業。
【請求項５】
請求項１〜請求項４にあって、使用者個人用サーバおよび前記使用者個人用サーバにインターネットを介して接続可能な携帯型ディジタルデータ記憶・再生端末を一体化したシステムとして販売・提供することを特徴とするディジタルデータ記憶・再生システム販売方法。
【手続補正３】
【補正対象書類名】明細書
【補正対象項目名】０００２
【補正方法】変更
【補正の内容】
【０００２】
従来の携帯型ディジタルオーディオプレーヤのごときディジタル音声データの記憶・再生装置においては、装置内の記憶装置に音声データを記憶・保存しそれを再生する方法が一般的である。
ここで音声データ記憶用に使用する記憶装置としてはＨＤＤあるいは半導体メモリが主体である。ＨＤＤを用いた場合は大容量化が可能で大量のディジタルデータの記憶が可能であるが、記憶装置がメカニズムで構成されているため比較的振動・衝撃等に弱く寿命も短い、また消費電力も比較的大きい等の欠点がある。一方半導体メモリの場合は可動部がないため堅牢で振動・衝撃等には強く寿命も長い長所はあるが大容量化は高価格化に繋がるという問題点がある。
【手続補正４】
【補正対象書類名】明細書
【補正対象項目名】０００４
【補正方法】変更
【補正の内容】
【０００４】
本発明は、今後携帯電話のデータ通信速度が高速化する事を想定して上記従来の携帯型ディジタルオーディオプレーヤの問題点を解決する、即ちＨＤＤを用いる場合の寿命・耐使用環境性および消費電力の問題、半導体メモリを用いる場合の容量・価格の問題、音楽データ提供用ＷＥＢサイトからダウンロードする場合の聴取中の接続遮断あるいは操作の煩雑さ等の問題、を解決するシステム、携帯端末、およびその実現のためのサーバ提供サービス事業を提供しようとするものである。
【手続補正５】
【補正対象書類名】明細書
【補正対象項目名】０００５
【補正方法】変更
【補正の内容】
【０００５】
本発明の基本的考え方を音声データ記憶・再生システムを例に説明する。
ここで言う音声データとは音楽、朗読された小説、音声による旅行案内、音声による語学学習教材等の音声ディジタルデータを言う。
しかし前述のとおり本発明の基本的考え方は音声データ記憶・再生システムだけでなく動画像データの記憶・再生システム等にも適用可能である。
【手続補正６】
【補正対象書類名】明細書
【補正対象項目名】０００６
【補正方法】変更
【補正の内容】
【０００６】
システムを、インターネットに接続しての高速データ通信可能な携帯型音声データ記憶・再生端末（以後端末という）、インターネット、およびインターネットに接続した音声データ記憶・保存用の使用者個人用サーバ（以後個人用サーバという）で構成する。
【手続補正７】
【補正対象書類名】明細書
【補正対象項目名】０００７
【補正方法】変更
【補正の内容】
【０００７】
使用者は予め端末をインターネット経由個人用サーバに接続させ再生予定の音声データ項目（楽曲名等）を個人用サーバ中からその再生予定順に選択しそれを端末内あるいはサーバ内の特定領域に記憶する。その後前記再生予定の音声データ項目のうち一部再生順位高位の音声データ項目に対応する音声データをメモリ容量の許す範囲で再生順位順に個人用サーバから端末内メモリに記憶した後使用者の操作によって再生を開始する。
再生が終了した音声データは端末から消去し、前記消去によって出来た端末内メモリ空き領域には個人用サーバから再生予定の音声データ項目順位に従って次に記憶すべき音声データ項目に対応する音声データを記憶する。
【手続補正８】
【補正対象書類名】明細書
【補正対象項目名】０００８
【補正方法】変更
【補正の内容】
【０００８】
また個人用サーバには予め使用者がインターネット上の音楽データ提供業者用サーバ等から取得した、あるいは使用者が自己のパーソナルコンピュータに自己の所有する音声データ媒体から取り込んだ音声データを記憶・保存しておく。
このように構成・動作させることにより端末はあたかも個人用サーバが記憶している音声データすべてを記憶しているように使用者には見えることになる。
【手続補正９】
【補正対象書類名】明細書
【補正対象項目名】０００９
【補正方法】変更
【補正の内容】
【０００９】
ここで再生中に端末のインターネット接続が常に保たれており且つ個人用サーバから端末への音声データダウンロード速度が端末における再生速度を大幅に上回っていれば、端末内メモリ容量は現在再生中および次に再生予定の音声データ用の極わずかでも済むことになる。しかしインターネット接続はしばしば断たれることから、この接続断の間にも端末における音声データの再生が続行できるだけの音声データの蓄積が可能な端末内メモリ容量が必要となるとともに、インターネット接続が復活した際には速やかに前記音声データ再生終了によって生じた端末内メモリの空き領域への個人用サーバからの音声データの補充が必要になる。
【手続補正１０】
【補正対象書類名】明細書
【補正対象項目名】００１１
【補正方法】変更
【補正の内容】
【００１１】
携帯用音声データ記憶・再生用端末１０５を図２に示す如く構成する。
端末１０５は通信基地局１０６経由でインターネット１０１に接続可能とする。
【手続補正１１】
【補正対象書類名】明細書
【補正対象項目名】００１２
【補正方法】変更
【補正の内容】
【００１２】
端末１０５においては、使用者が操作・制御部２０１を操作することによって個人用サーバ１０３に接続してそこに記憶されている音声データ項目を通信部２０２経由表示装置２０３に表示し、そこから再生したい音声データ項目ＴＭ1、ＴＭ2、ＴＭ3、・・・ＴＭn を再生の順位に選択しメモリ部２０６中の音声データ項目メモリ２０４に記憶する。
その後端末１０５は前記音声データ項目メモリ２０４に記憶された音声データ項目中の一部再生順位高位の音声データ Ｍ1、Ｍ2、Ｍ3、・・・Ｍp (ただしp ＜ n ) を順次ダウンロードし音声データメモリ２０５に記憶する。
【手続補正１２】
【補正対象書類名】明細書
【補正対象項目名】００１５
【補正方法】変更
【補正の内容】
【００１５】
ここで、端末１０５が常時サーバ１０３に接続できている状態であれば音声データメモリ２０５容量は再生予定音声データ項目中最大容量の音声データ２項目分を記憶するに足るだけあれば充分ということになるが、接続が遮断することも考慮し想定される最大接続遮断時間と音声データダウンロードの速度から音声データメモリ２０５容量値は決定される。
【手続補正１３】
【補正対象書類名】明細書
【補正対象項目名】００１６
【補正方法】変更
【補正の内容】
【００１６】
しかし本システムにおいては音声データダウンロード時間はその再生時間に比べて無視できるほどに短いと想定していることから、音声データメモリ２０５容量はインターネット接続が途絶えると想定される最大時間連続再生ができる音声データを記憶できる容量を有すればよいことになる。
この場合音声データメモリ２０５容量は、音声データのデータ圧縮率で異なってくるが、最大でも従来の半導体メモリを用いたディジタルオーディオプレーヤ等に比べてははるかに小容量で済むこととなる。
【手続補正１４】
【補正対象書類名】明細書
【補正対象項目名】００１７
【補正方法】変更
【補正の内容】
【００１７】
上記においては使用者が再生を予定する音声データ項目を端末１０５のメモリ部２０６内に音声データ項目メモリ２０４を設けて記憶するとしたが、これに代えてサーバ１０３内の特定領域にそれを記憶することでも本発明による音声データ記憶・再生システムの構成は可能である。この場合においては端末１０５中にデータ項目メモリ２０４は不要となるが音声データ記憶・再生端末１０５とサーバ１０３間の接続が途絶えている間には端末１０５の表示部２０３に再生予定の音声データ項目の表示は出来なくなる。
【手続補正１５】
【補正対象書類名】明細書
【補正対象項目名】００１８
【補正方法】変更
【補正の内容】
【００１８】
また上記においては端末１０５の接続するサーバは、使用者個人用サーバ１０３としたが、それに代えて音楽データ提供業者のサーバ内に使用者個人が取得した個人用音声データ項目リスト記憶領域を設け、使用者はそこにアクセスして希望する音声データ項目を選択し、選択された音声データ項目に対応する音声データを音楽データ提供業者の所有する音声データ中から抽出してダウンロードする方法も考えられる。
【手続補正１６】
【補正対象書類名】明細書
【補正対象項目名】００２１
【補正方法】変更
【補正の内容】
【００２１】
以上述べた如く、本発明による音声データ記憶・再生システムによって従来のディジタルオーディオプレーヤの問題点がすべて解決される。
ただし、端末にはインターネット接続のための通信機能が必要になる。しかしこれは高速通信可能な携帯電話機を本端末の母体として使用する即ち携帯電話兼ディジタルデータ記憶・再生端末とすることにより問題はなくなる。
【手続補正１７】
【補正対象書類名】明細書
【補正対象項目名】００２３
【補正方法】変更
【補正の内容】
【００２３】
図１に本発明による音声データ記憶・再生システムの構成例を、図２に図１中の携帯型音声データ記憶・再生端末１０５の構成例を、図３に図２の携帯型音声データ記憶・再生端末１０５における個人用サーバ１０３との接続確認、再生予定音声データ項目の表示・選択、および再生予定音声データの取り込み処理手順例を、また図４に図２における携帯型音声データ記憶・再生端末１０５における再生動作の処理手順例を、それぞれ示す。
【手続補正１８】
【補正対象書類名】明細書
【補正対象項目名】００２５
【補正方法】変更
【補正の内容】
【００２５】
１０４は、使用者の保有するＣＤあるいはＤＶＤ等の音声データ媒体から音声データを取り込んで、インターネット経由前記使用者個人用サーバ１０３にデータを供給する使用者用パーソナルコンピュータ、
１０５は、使用者の有する携帯型音声データ記憶・再生用端末
１０６は、携帯型音声データ記憶・再生用端末１０５をインターネット１０１に接続する通信基地局、である。
【手続補正１９】
【補正対象書類名】明細書
【補正対象項目名】００２６
【補正方法】変更
【補正の内容】
【００２６】
図２において、
２０１は、使用者の操作により個人用サーバ１０３への接続、音声データ項目の表示・選択、再生指示等を行う操作・制御部
２０２は、本携帯型音声データ記憶・再生端末１０５を後述の通信基地局２０５経由インターネット１０１に接続する通信部
【手続補正２０】
【補正対象書類名】明細書
【補正対象項目名】００２７
【補正方法】変更
【補正の内容】
【００２７】
２０３は、個人用サーバ１０３に記憶・保存されている音声データ項目の表示、あるいは携帯型音声データ記憶・再生端末１０５内に記憶されている再生予定音声データ項目等の表示を行い、再生したい音声データ項目の選択あるいは携帯型音声データ記憶・再生端末１０５中の音声データ項目メモリ２０４記憶内容あるいは音声データメモリ２０５に記憶されている音声データ項目等を確認するための表示部
【手続補正２１】
【補正対象書類名】明細書
【補正対象項目名】００３０
【補正方法】変更
【補正の内容】
【００３０】
次に図１における携帯型音声データ記憶・再生端末１０５における使用者個人用サーバ１０３とのインターネットを介しての各種処理手順例を図３にしめす。
３０１は、携帯型音声データ記憶・再生端末１０５における使用者個人用ＷＥＢサーバ１０３との各種処理手順開始点
３０２は、携帯型音声データ記憶・再生端末１０５と使用者個人用サーバ１０３との接続確認処理であり、本処理においては単に通信接続の確認だけでなく音声データの送受のため使用者のＩＤ、パスワード等セキュリティ事項の確認も行う。
【手続補正２２】
【補正対象書類名】明細書
【補正対象項目名】００３１
【補正方法】変更
【補正の内容】
【００３１】
３０３は、３０２で接続が確認された後携帯型音声データ記憶・再生端末１０５に使用者が再生を予定している音声データ項目が選択・記憶されているか否かの確認を行う再生予定音声データ項目記憶確認処理、
３０４は、３０３において再生を予定している音声データ項目が選択されていないと判定した場合、個人用サーバ１０３に記憶されている音声データ項目中から再生予定の音声データ項目の選択開始を行う再生予定音声データ項目選択開始処理、
３０５は、３０４によって開始された再生予定音声データ項目選択処理が終了したか否かを確認する再生予定音声データ選択終了確認処理、
【手続補正２３】
【補正対象書類名】明細書
【補正対象項目名】００３３
【補正方法】変更
【補正の内容】
【００３３】
３０８は、３０７においておいて開始された個人用サーバ１０３からの音声データ取り込みが終了したか否かの確認を行う音声データ取り込み終了確認処理、
３０９は、個人用サーバ１０３から新たに取り込んだ音声データを音声データメモリ２０５の所定の場所に記憶する音声データ記憶処理、
３１０は、使用者により操作・制御部２０１に対して再生予定の音声データ項目変更の操作があったか否かを確認する音声データ項目変更指示確認処理、
であり、変更操作がない場合は音声データ項目メモリ内容は不変で処理３０６に戻る。変更操作があった場合は、処理３０４に戻って再生予定の音声データ項目の変更処理を行う。
尚上記においては端末１０５とインターネット１０１経由個人用サーバ１０３との接続確認は処理３０２のみで行うとしているが、実際には常時行い、接続が断たれた場合は次の接続確立を待って接続断以前に行っていた処理を継続する。
【手続補正２４】
【補正対象書類名】明細書
【補正対象項目名】００３４
【補正方法】変更
【補正の内容】
【００３４】
次に、図１における携帯型音声データ記憶・再生端末１０５における音声データ再生処理手順を図４に示す。
４０１は、携帯型音声データ記憶・再生端末１０５における再生処理手順開始点、
４０２は、音声データメモリ２０５中に再生すべき音声データが残っているか否かの確認を行う再生音声データ有無確認処理、
【手続補正２５】
【補正対象書類名】明細書
【補正対象項目名】００３６
【補正方法】変更
【補正の内容】
【００３６】
以上の如く本発明による音声データ記憶・再生システムにおいては、あたかも使用者個人用サーバ１０３に記憶・保存されているすべての音声データを携帯型音声データ記憶・再生端末１０５中に記憶しているように端末１０５における音声データの選択・再生が可能になる。
【手続補正２６】
【補正対象書類名】明細書
【補正対象項目名】００４１
【補正方法】変更
【補正の内容】
【００４１】
上記各実施例における個人用サーバあるいはその代替サーバを使用者個人に提供するサービス事業の存在が本システムの広範な普及には不可欠である。さらに携帯型ディジタルデータ記憶・再生端末と個人用サーバあるいはその代替サーバをディジタルデータ記憶・再生システムとして一体化して販売・提供する事業も有効である。
【手続補正２７】
【補正対象書類名】明細書
【補正対象項目名】００４２
【補正方法】変更
【補正の内容】
【００４２】
【図１】本発明による音声データ記憶・再生システム構成例
【図２】本発明による携帯型音声データ記憶・再生端末構成例
【図３】本発明による携帯型音声データ記憶・再生端末による個人用サーバとの各種処理手順例
【図４】本発明による携帯型音声データ記憶・再生端末による再生処理手順例
【手続補正２８】
【補正対象書類名】明細書
【補正対象項目名】００４３
【補正方法】変更
【補正の内容】
【００４３】
図１、図２において、
１０１：インターネット
１０２：音楽データ提供者用サーバ
１０３：使用者個人用サーバ
１０４：使用者用パーソナルコンピュータ
１０５：携帯型音声データ記憶・再生端末
１０６：通信基地局
【手続補正書】
【提出日】平成18年4月24日(2006.4.24)
【手続補正１】
【補正対象書類名】特許請求の範囲
【補正対象項目名】全文
【補正方法】変更
【補正の内容】
【特許請求の範囲】
【請求項１】
ディジタルデータ再生機能、メモリ機能、およびインターネットに接続しての高速データ通信機能、を有する携帯型ディジタルデータ記憶・再生端末と、インターネットに接続され使用者が事前にインターネット上のディジタルデータ提供サイトから、あるいは自己のパーソナルコンピュータにおいてＣＤ・ＤＶＤ等自己の所有するディジタルデータ媒体から、取得したディジタルデータ群を使用者個人用として記憶・管理するサーバから構成され、
再生開始に先立ってディジタルデータ記憶・再生端末とサーバをインターネット接続してサーバに記憶されている使用者個人用ディジタルデータ群中から使用者が再生したいディジタルデータ項目を選択してその再生順位とともにメモリ機能中の特定領域に記憶させ、あわせて前記メモリ機能中の特定領域に記憶されたディジタルデータ項目中再生順位高位のディジタルデータ項目に対応するディジタルデータをメモリ機能の記憶容量が許容する範囲で再生順位に従ってディジタルデータ記憶・再生端末メモリ機能に記憶させること、
ディジタルデータ再生に際しては、ディジタルデータ記憶・再生端末とサーバ間のインターネット接続の成否にかかわらずディジタルデータ記憶・再生端末のメモリ機能に記憶されているディジタルデータの再生および再生済みディジタルデータの消去を順次に行うとともに、ディジタルデータ記憶・再生端末とサーバ間のインターネット接続が正常に保たれている間サーバからディジタルデータ記憶・再生端末のメモリ機能の特定領域に記憶されている再生予定のディジタルデータ項目中のディジタルデータを再生予定順位に従って順次ディジタルデータ記憶・再生端末中のメモリ機能に補充・記憶させること、
を特徴とするディジタルデータ記憶・再生システム。
【請求項２】
ディジタルデータ再生機能、メモリ機能、およびインターネットに接続しての高速データ通信機能、を有する携帯型ディジタルデータ記憶・再生端末と、インターネットに接続され使用者が事前にインターネット上のディジタルデータ提供サイトから、あるいは自己のパーソナルコンピュータにおいてＣＤ・ＤＶＤ等自己の所有するディジタルデータ媒体から、取得したディジタルデータ群を使用者個人用として記憶・管理するサーバから構成され、
再生開始に先立ってディジタルデータ記憶・再生端末とサーバをインターネット接続してサーバに記憶されている使用者個人用ディジタルデータ群中から使用者が再生したいディジタルデータ項目を選択してその再生順位とともにサーバ中の特定領域に記憶させ、あわせて前記サーバ中の特定領域に記憶されたディジタルデータ項目中再生順位高位のディジタルデータ項目に対応するディジタルデータをメモリ機能の記憶容量が許容する範囲で再生順位に従ってディジタルデータ記憶・再生端末メモリ機能に記憶させること、
ディジタルデータ再生に際しては、ディジタルデータ記憶・再生端末とサーバ間のインターネット接続の成否にかかわらずディジタルデータ記憶・再生端末のメモリ機能に記憶されているディジタルデータの再生および再生済みディジタルデータの消去を順次に行うとともに、ディジタルデータ記憶・再生端末とサーバ間のインターネット接続が正常に保たれている間サーバからサーバの特定領域に記憶されている再生予定のディジタルデータ項目中のディジタルデータを再生予定順位に従って順次ディジタルデータ記憶・再生端末中のメモリ機能に補充・記憶させること、
を特徴とするディジタルデータ記憶・再生システム。
【請求項３】
メモリ機能の容量は、携帯型ディジタルデータ記憶・再生端末とサーバ間の接続が確立できない断状態即ち断状態継続時間、断状態発生頻度を予め想定し、あわせてディジタルデータ圧縮率等のサーバ内におけるディジタルデータ記憶状態および携帯型ディジタルデータ記憶・再生端末−サーバ間通信速度をも考慮して、再生時前記想定した断状態の間においてもメモリ機能に記憶したディジタルデータ再生の連続性が保たれるよう設定されることを特徴とする請求項１あるいは請求項２記載のディジタルデータ記憶・再生システム。
【手続補正３】
【補正対象書類名】明細書
【補正対象項目名】０００１
【補正方法】変更
【補正の内容】
【０００１】
本発明は、移動中においても自己の所有するあるいは希望する音声データ・動画像データ等を自由に選択して視聴することができる携帯型ディジタルデータ記憶・再生システムに関する。
【手続補正４】
【補正対象書類名】明細書
【補正対象項目名】０００４
【補正方法】変更
【補正の内容】
【０００４】
本発明は、今後携帯電話の通信速度が高速化する事を想定して上記従来の携帯型ディジタルオーディオプレーヤの問題点を解決する、即ちＨＤＤを用いる場合の寿命・耐使用環境性および消費電力の問題、半導体メモリを用いる場合の容量・価格の問題、音楽データ提供用ＷＥＢサイトからダウンロードする場合の聴取中の接続遮断あるいは操作の煩雑さ等の問題、を解決するシステム、携帯端末、およびサーバを提供しようとするものである。
【手続補正５】
【補正対象書類名】明細書
【補正対象項目名】０００７
【補正方法】変更
【補正の内容】
【０００７】
使用者は予め端末をインターネット経由個人用サーバに接続させ再生予定の音声データ項目（楽曲名等）を個人用サーバ中からその再生予定順に選択しそれを端末内あるいはサーバ内の特定領域にいわゆるプレイリストとして記憶する。その後前記再生予定の音声データ項目のうち一部再生順位高位の音声データ項目に対応する音声データをメモリ容量の許す範囲で再生順位順に個人用サーバから端末内メモリに記憶した後使用者の操作によって再生を開始する。
再生が終了した音声データは端末から消去し、前記消去によって出来た端末内メモリ空き領域には個人用サーバから再生予定の音声データ項目順位に従って次に記憶すべき音声データ項目に対応する音声データを記憶する。
但しプレイリストとして記憶した音声データ項目は対応する音声データの再生が終了した後も、改めてプレイリストの更新を行うまでは、保持する。
【手続補正６】
【補正対象書類名】明細書
【補正対象項目名】０００９
【補正方法】変更
【補正の内容】
【０００９】
ここで再生中に端末のインターネット接続が常に保たれており且つ個人用サーバから端末への音声データダウンロード速度が端末における再生速度を大幅に上回っていれば、端末内メモリ容量は現在再生中および次に再生予定の音声データ用のみでも済むことになる。
しかし携帯型である端末のインターネット接続はしばしば断たれるあるいは断つ必要が有ることから、この接続断の間にも端末における音声データの再生が継続できるだけの音声データの蓄積が可能な端末内メモリ容量が必要となるとともに、インターネット接続が復活した際には速やかに前記音声データ再生終了によって生じた端末内メモリの空き領域への個人用サーバからの音声データの補充が必要になる。
【手続補正７】
【補正対象書類名】明細書
【補正対象項目名】００１５
【補正方法】変更
【補正の内容】
【００１５】
ここで、端末１０５が常時サーバ１０３に接続できている状態であれば音声データメモリ２０５容量は再生予定音声データ項目中最大容量の音声データ２項目分を記憶するに足るだけあれば充分ということになるが、接続が遮断することも考慮し想定される接続遮断時間、接続遮断頻度、およびデータ圧縮率等サーバに記憶されている音楽データ記憶状態、音声データダウンロード速度等、から音声データメモリ２０５容量値は決定される。
【手続補正８】
【補正対象書類名】明細書
【補正対象項目名】００２５
【補正方法】変更
【補正の内容】
【００２５】
１０４は、使用者の保有するＣＤあるいはＤＶＤ等の音声データ媒体からあるいは音楽データ提供者用サーバ１０２から音声データを取り込んで、インターネット経由前記使用者個人用サーバ１０３にデータを供給する使用者用パーソナルコンピュータ、
１０５は、使用者の有する携帯型音声データ記憶・再生用端末
１０６は、携帯型音声データ記憶・再生用端末１０５をインターネット１０１に接続する通信基地局、である。
【手続補正９】
【補正対象書類名】明細書
【補正対象項目名】００３３
【補正方法】変更
【補正の内容】
【００３３】
３０８は、３０７においておいて開始された個人用サーバ１０３からの音声データ取り込みが終了したか否かの確認を行う音声データ取り込み終了確認処理、
３０９は、個人用サーバ１０３から新たに取り込んだ音声データを音声データメモリ２０５の所定の場所に記憶する音声データ記憶処理、
３１０は、使用者により操作・制御部２０１に対して再生予定の音声データ項目変更の操作があったか否かを確認する音声データ項目変更指示確認処理、
であり、変更操作がない場合は音声データ項目メモリ内容は不変で処理３０６に戻る。変更操作があった場合は、処理３０４に戻って再生予定の音声データ項目の変更処理を行う。
尚上記においては端末１０５とインターネット１０１経由個人用サーバ１０３との接続確認は処理３０２のみで行うとしているが、実際には一定周期で行い、接続が断たれた場合は次の接続確立を待って接続断以前に行っていた処理を継続する。
【手続補正１０】
【補正対象書類名】明細書
【補正対象項目名】００４１
【補正方法】変更
【補正の内容】
【００４１】
上記各実施例における個人用サーバあるいはその代替サーバを使用者個人に提供するインターネットサービスの存在が本システムの広範な普及には不可欠である。さらに携帯型ディジタルデータ記憶・再生端末と個人用サーバあるいはその代替サーバをディジタルデータ記憶・再生システムとして一体化してユーザーに販売・提供することもシステム普及には有効である。
【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
ディジタルデータ再生機能、メモリ機能、およびインターネット接続可能なデータ通信機能を有する携帯電話機と、インターネットに接続し前記携帯電話機のメモリ機能にダウンロード可能なディジタルデータ群を記憶・管理するサーバから構成され、
再生に先立って、メモリ機能の特定領域に再生すべきディジタルデータ項目およびその再生順序を記憶し、メモリ機能特定領域中に記憶したディジタルデータ項目とその再生順序に従ってサーバからメモリ機能データ領域にその記憶容量が許容する範囲内のデジタルデータをダウンロードして記憶する、また再生に際しては、メモリ機能データ領域に記憶したディジタルデータを順次再生し、再生終了したディジタルデータは都度データ領域から消去し、消去によって生じたデータ領域中の空き領域へはサーバからメモリ機能特定領域に記憶したデジタルデータ項目およびその再生順序に対応するディジタルデータを順次ダウンロードして補充する、ディジタルデータ記憶・再生システムにおいて、
メモリ機能データ領域は、そこに記憶したディジタルデータによって、携帯電話機−サーバ間通信接続が想定される最大時間断した間も再生が継続可能なデータ量を記憶できる記憶容量を有し、且つデータ通信機能は、携帯電話機−サーバ間通信接続が前記想定される最大時間断した場合であってもその後のわずかな通信接続回復の間において、メモリ機能データ領域の空き領域に対してサーバからのダウンロードによるディジタルデータ補充が行える高速性を有することによって、あたかもメモリ機能データ領域中にはあらかじめメモリ機能特定領域に記憶した再生すべきディジタルデータ項目に対応する全ディジタルデータが記憶されているかの如く連続再生が可能であること、を特徴とするディジタルデータ記憶・再生システム。